(57)【要約】【目的】  コンタクトの所定の接触圧を確保しつつ、コンタクトの幅寸法を小さくでき且つ該コンタクトの塑性変形を抑止できるカードコネクタを提供する。【構成】  コネクタは、カードＣが挿入可能なカード挿入孔１０１が設けられたボディ１００と、カード挿入孔１０１内に上下方向に移動自在に配置されるフローティング部材２００と、コンタクト３００ａ、３００ｂと、フローティング部材２００を上方に付勢する弾性片４２０を有するカバー４００とを備えている。コンタクトの３００ａ、３００ｂの折り曲げ部３１０ａ、３２０ｂがボディ１００の嵌合ブロック１４０に固着されている。コンタクトの３００ａ、３００ｂの接触部３４０ａ、３４０ｂの頂部以外の部分がフローティング部材２００に固着され、前記頂部がフローティング部材２００の上面からカードＣの接点部Ｃ１１、１２に各々接触可能に突出している。【選択図】      図１
2010287506.tif 000002
【特許請求の範囲】
【請求項１】
カードが挿入可能なカード挿入孔が設けられたボディと、
このボディのカード挿入孔内に上下方向に移動自在に配置されており且つカード挿入孔に挿入されたカードにより下方に押し下げられるフローティング部材と、
長さ方向の第１、第２の端部を有する第１のコンタクトと、
前記フローティング部材の下面を上方向に付勢する付勢手段とを備えており、
前記第１のコンタクトの第１の端部の少なくとも一部が前記ボディに固着されており、
前記第１のコンタクトの第２の端部は前記フローティング部材に固着され、該第２の端部の一部が該フローティング部材の上面からカードの接点部に接触可能に突出していることを特徴とするカードコネクタ。
【請求項２】
請求項１記載のカードコネクタにおいて、
前記ボディの底板部にはカード挿入孔と連通するガイド孔が設けられており、
前記フローティング部材は、下端部が前記ガイド孔に上下動自在にガイドされ、上端部が前記カード挿入孔内に配置されていることを特徴とするカードコネクタ。
【請求項３】
請求項２記載のカードコネクタにおいて、
前記ボディの底板部には前記ガイド孔と連通する嵌合孔が設けられており、
前記ボディは、前記嵌合孔に嵌合し且つ前記第１のコンタクトの第１の端部の少なくとも一部が固着される嵌合ブロックを有していることを特徴とするカードコネクタ。
【請求項４】
請求項２又は３記載のカードコネクタにおいて、
前記ボディの外周面を覆う筒状のカバーを更に備えており、
前記カバーは、その底板部に設けられた弾性片を有しており、
前記弾性片が前記ボディのガイド孔に下方から挿入され、前記フローティング部材を上方向に付勢する前記付勢手段として機能するようになっていることを特徴とするカードコネクタ。
【請求項５】
請求項４記載のカードコネクタにおいて、
前記ボディの底板部には、前記ガイド孔を前記カード挿入方向の後方に開放する切欠き部が設けられており、
前記弾性片が前記切欠き部を通じて前記ガイド孔に挿入されるようになっていることを特徴とするカードコネクタ。
【請求項６】
請求項１記載のカードコネクタにおいて、
第１のコンタクトと長さ寸法が異なる第２のコンタクトを更に備えており、
第２のコンタクトは長さ方向の第１、第２の端部を有しており、
第２のコンタクトの第１の端部は前記ボディに固着されており、
第２のコンタクトの第２の端部は前記フローティング部材に固着され且つ該第２の端部の一部が該フローティング部材の上面から突出していることを特徴とするカードコネクタ。
【請求項７】
請求項３記載のカードコネクタにおいて、
第１のコンタクトと長さ寸法が異なる第２のコンタクトを更に備えており、
第２のコンタクトは長さ方向の第１、第２の端部を有しており、
第２のコンタクトの第１の端部は前記ボディの嵌合ブロックに固着されており、
第２のコンタクトの第２の端部は前記フローティング部材に固着され且つ該第２の端部の一部が該フローティング部材の上面から突出していることを特徴とするカードコネクタ。
【請求項８】
前記カードの下端部に設けられた凹部の底面に前記接点部が形成されている場合の請求項１、２、３、４、５、６又は７記載のカードコネクタにおいて、
前記フローティング部材は、前記凹部に挿入可能になっていることを特徴とするカードコネクタ。
【発明の詳細な説明】
【技術分野】
【０００１】
本発明はカードコネクタに関する。
【背景技術】
【０００２】
この種のカードコネクタとしては、ボディのカード挿入孔内に上下動可能に配置されたフローティング部材と、前記ボディの底板部に設けられ且つ前記フローティング部材を下方から付勢する弾性片と、基端部がボディに固着され、先端部が前記フローティング部材に設けられた複数の孔部に各々挿入される複数のコンタクトとを有しているものがある（特許文献１の図４及び図５参照）。
【０００３】
前記ボディのカード挿入孔にカードが挿入されると、該カードにより前記フローティング部材が前記弾性片の付勢力に抗して下方に押し下げられる。このとき、フローティング部材の孔部の縁部が前記コンタクトの先端部を下方に押圧することにより、該コンタクトの弾性力が向上する。このため、前記コンタクトの先端部をカードの接点部に所定の接触圧で弾性接触させることができるようになっている。なお、前記所定の接触圧とは、前記コンタクトが接点部に対して安定した電気的接続を図ることができる程度の接触圧のことである。
【先行技術文献】
【特許文献】
【０００４】
【特許文献１】特開平１０−１４４４１８号公報
【発明の概要】
【発明が解決しようとする課題】
【０００５】
ところで、前述のようなカードコネクタは携帯電話器等の小型の電子機器に搭載するために小型化することが期待されている。このようにカードコネクタを小型化した場合、隣接するコンタクト間の絶縁を保つために該コンタクトの幅寸法を小さくする必要がある。
【０００６】
しかしながら、前記コンタクトの幅寸法を小さくすると、前記コンタクトの強度及び弾性力が低下する。このため、前記コンタクトのカードの接点部に対する所定の接触圧を確保することが困難であった。また、カードの挿脱を繰り返すことにより、前記コンタクトが塑性変形してしまう可能性があった。
【０００７】
本発明は、上記事情に鑑みて創案されたものであって、その目的とするところは、コンタクトの所定の接触圧を確保しつつ、コンタクトの幅寸法を小さくすることができ且つ該コンタクトの塑性変形を抑止することができるカードコネクタを提供することにある。
【課題を解決するための手段】
【０００８】
上記課題を解決するために、本発明のカードコネクタは、カードが挿入可能なカード挿入孔が設けられたボディと、このボディのカード挿入孔内に上下方向に移動自在に配置されており且つカード挿入孔に挿入されたカードにより下方に押し下げられるフローティング部材と、長さ方向の第１、第２の端部を有する第１のコンタクトと、前記フローティング部材の下面を上方向に付勢する付勢手段とを備えている。前記第１のコンタクトの第１の端部の少なくとも一部が前記ボディに固着されており、前記第１のコンタクトの第２の端部は前記フローティング部材に固着され、該第２の端部の一部が該フローティング部材の上面からカードの接点部に接触可能に突出している。
【０００９】
このようなカードコネクタによる場合、第１のコンタクトの第２の端部がフローティング部材に固着され、該フローティング部材が付勢手段に付勢されているので、該付勢手段の付勢力により第１のコンタクトの弾性力を補強することができる。よって、第１のコンタクトのカードの接点部に対する所定の接触圧を確保しつつ、第１のコンタクトの幅寸法を小さくすることができる。また、カードがボディのカード挿入孔に挿脱され、該カードの接点部が第１のコンタクトの第２の端部の一部に接触する際に、該第１のコンタクトに掛かる負荷がフローティング部材及び付勢手段により分散されるので、第１のコンタクトの幅寸法を小さくしたとしても、第１のコンタクトが塑性変形してしまうのを抑止することができる。
【００１０】
前記ボディの底板部にカード挿入孔と連通するガイド孔を設けることができる。前記フローティング部材は、下端部が前記ガイド孔に上下動自在にガイドされ、上端部が前記カード挿入孔内に配置されている。この場合、前記フローティング部材の下端部がガイド孔により上下動自在にガイドされているので、フローティング部材がカードに押し下げられる際に、該フローティング部材がカードの幅方向に移動し、前記第１のコンタクトの第２の端部の前記一部がカードの接点部に接触しない等の不具合が発生するのを防止することができる。
【００１１】
前記ボディの底板部に前記ガイド孔と連通する嵌合孔が設けられている場合、前記ボディは、前記嵌合孔に嵌合し且つ前記第１のコンタクトの第１の端部の少なくとも一部が固着される嵌合ブロックを有している。この場合、前記第１のコンタクトの第１の端部の少なくとも一部が嵌合ブロックに固着され、第２の端部がフローティング部材に固着されているので、嵌合ブロックをボディの嵌合孔に挿入すると共に、フローティング部材をボディのガイド孔に挿入するだけで、フローティング部材及び第１のコンタクトをボディに簡単に取り付けることができる。
【００１２】
前記カードコネクタは前記ボディの外周面を覆う筒状のカバーを更に備えた構成とすることができる。前記カバーは、その底板部に設けられた弾性片を有しており、前記弾性片が前記ボディのガイド孔に下方から挿入され、前記フローティング部材を上方向に付勢する前記付勢手段として機能するようになっている。
【００１３】
このようなカードコネクタによる場合、カバーの一部である弾性片を付勢手段として利用しているので、付勢手段を別途備える場合に比べて、部品点数を低減することができ、低コスト化を図ることができる。
【００１４】
前記ボディの底板部に前記ガイド孔を前記カード挿入方向の後方に開放する切欠き部を設けることができる。前記弾性片が前記切欠き部を通じて前記ガイド孔に挿入されるようになっている。この場合、前記カバーを前記ボディに取り付ける際に、前記弾性片を切欠き部を通じて前記ガイド孔に挿入するだけで、フローティング部材の下側に配置することが可能になる。よって、前記弾性片の取り付けが非常に簡単になる。
【００１５】
前記カードコネクタは第１のコンタクトと長さ寸法が異なる第２のコンタクトを更に備えた構成とすることができる。第２のコンタクトは長さ方向の第１、第２の端部を有している。第２のコンタクトの第１の端部は前記ボディに固着されており、第２のコンタクトの第２の端部は前記フローティング部材に固着され且つ該第２の端部の一部が該フローティング部材の上面から突出している。又は、第２のコンタクトの第１の端部を、前記ボディの嵌合ブロックに固着することも可能である。
【００１６】
前記カードの下端部に設けられた凹部の底面に前記接点部が形成されている場合、前記フローティング部材が前記凹部に挿入可能になっていることが好ましい。この場合、前記カードをボディのカード挿入孔される際に、前記フローティング部材が前記凹部に挿入され、前記カードをガイドするようになっている。このため、前記カードをカード挿入孔に挿入し易くなる。
【図面の簡単な説明】
【００１７】
【図１】本願の実施の形態に係るカードコネクタの概略的斜視図であって、（ａ）がカード挿入前の状態を示す図、（ｂ）がカード挿入状態を示す図である。
【図２】前記カードコネクタに挿入されるカードの下方から見た概略的斜視図である。
【図３】前記カードコネクタの概略的分解斜視図である。
【図４】前記カードコネクタの図１中の概略的Ａ−Ａ断面図であって、（ａ）がカード挿入前の状態を示す図、（ｂ）がカード挿入状態を示す図である。
【図５】前記カードコネクタの図１中の概略的Ｂ−Ｂ断面図であって、（ａ）がカード挿入前の状態を示す図、（ｂ）がカード挿入状態を示す図である。
【発明を実施するための形態】
【００１８】
以下、本願の実施の形態に係るカードコネクタについて上記図１乃至図５を参照しつつ説明する。図１に示すカードコネクタは、ボディ１００と、フローティング部材２００と、一対の第１のコンタクト３００ａと、第２のコンタクト３００ｂと、シールドカバー４００とを備えている。このカードコネクタはカードＣが接続される。以下、カードＣについて説明した後に、前記カードコネクタの各部について詳しく説明する。
【００１９】
カードＣは、図２に示すように、略直方体であって、その下端部に凹部Ｃ１が設けられている。この凹部Ｃ１はカード挿入方向α側の内壁部が開放されている。また、凹部Ｃ１の底面には、カード挿入方向αの前側部分に一対の第１の接点部Ｃ１１が、カード挿入方向αの後側部分に第２の接点部Ｃ１２が形成されている。第２の接点部Ｃ１２は、第１の接点部Ｃ１１よりも幅広であり且つ長い。
【００２０】
ボディ１００は絶縁樹脂の射出成型品である。このボディ１００は、図１、図３、図４及び図５に示すように、底板部１１０と、一対の外壁部１２０と、後壁部１３０と、嵌合ブロック１４０とを有している。外壁部１２０は底板部１１０の幅方向の両端部上に立設されている。後壁部１３０は底板部１１０上のカード挿入方向αの前方部分に設けられている。後壁部１３０は外壁部１２０のカード挿入方向αの前方部分と一体化されている。底板部１１０、外壁部１２０、後壁部１３０及びシールドカバー４００の後述する天板により区画される空間が、カードＣが挿入されるカード挿入孔１０１となっている。
【００２１】
底板部１１０の中央部には、図３に示すように、底板部１１０を厚み方向（すなわち、上下方向）に貫通するガイド孔１１１が設けられている。ガイド孔１１１は、下側ガイド孔１１１１と、下側ガイド孔１１１１よりも幅狭の上側ガイド孔１１１２とを有する。また、底板部１１０のガイド孔１１１のカード挿入方向αの後方部分には、底板部１１０を厚み方向に貫通し且つガイド孔１１１に連通する切欠き部１１２が設けられている。切欠き部１１２によりガイド孔１１１がカード挿入方向αの後方に開放される。底板部１１０のガイド孔１１１のカード挿入方向αの前方部分及び後壁部１３０には、ガイド孔１１１に連通する嵌合孔１１３が設けられている。嵌合孔１１３は、図４及び図５に示すように、下方に開放されると共に、カード挿入方向αの前方にも開放されている。
【００２２】
嵌合ブロック１４０は平面視略Ｔ字状の絶縁樹脂で構成されている。この嵌合ブロック１４０は、平板状の嵌合部１４１と、この嵌合部１４１の中央部に直角に設けられた平板状の保持部１４２とを有している。嵌合部１４１の幅方向の両端面には外側に凸の爪部が設けられている。この爪部を含む嵌合部１４１の幅寸法が、嵌合孔１１３の幅寸法よりも若干大きくなっている。このため、嵌合部１４１が嵌合孔１１３に圧入可能となっている。嵌合部１４１の幅方向の両端部には、第１のコンタクト３００ａの後述する折り曲げ部３１０ａが各々埋設されている（すなわち、固着されている。）。このように折り曲げ部３１０ａが嵌合部１４１に固着された状態で、第１のコンタクト３００ａが前記幅方向に間隔を空けて配置される。また、嵌合部１４１の中央部及び保持部１４２には、第２のコンタクト３００ｂの後述する折り曲げ部３１０ｂが埋設されている（すなわち、固着されている。）。このように折り曲げ部３１０ｂが嵌合部１４１の中央部及び保持部１４２に固着された状態で、第２のコンタクト３００ｂが第１のコンタクト３００ｂの間に配置される。
【００２３】
各第１のコンタクト３００ａは、図３及び図５に示すように、導電性を有する細長い金属板で構成されている。この第１のコンタクト３００ａは、下向き略Ｌ字状の折り曲げ部３１０ａと、この折り曲げ部３１０ａの長さ方向の一端部に連設された接続部３２０ａと、折り曲げ部３１０ａの長さ方向の他端部に連設された傾斜部３３０ａと、この傾斜部３３０ａの長さ方向の他端部に連設された下向き略Ｕ字状の接触部３４０ａとを有している。折り曲げ部３１０ａ及び接続部３２０ａが特許請求の範囲における第１のコンタクト３００ａの長さ方向の第１の端部に相当する。本実施の形態では、上述したように折り曲げ部３１０ａがボディ１００の嵌合ブロック１４０の嵌合部１４１の端部に埋設され、固着されている。接続部３２０ａは、図示しない基板の導電ラインに半田接続される部位である。接触部３４０ａは特許請求の範囲における第１のコンタクト３００ａの長さ方向の第２の端部に相当する。この接触部３４０ａの頂部以外の部分がフローティング部材２００の本体部２１０に埋設され、固着されている。接触部３４０ａの頂部は本体部２１０の上面から突出し、カードＣの第１の接点部Ｃ１１に接触可能になっている。傾斜部３３０ａはカード挿入方向αの後方に向けて上り傾斜となるように折り曲げられている。この傾斜部３３０ａは上下方向に弾性変形可能である。
【００２４】
第２のコンタクト３００ｂも、図３及び図４に示すように、導電性を有する細長い金属板で構成されている。この第２のコンタクト３００ｂは第１のコンタクト３００ａよりも長い。第２のコンタクト３００ｂは、下向き略Ｌ字状の折り曲げ部３１０ｂと、この折り曲げ部３１０ｂの長さ方向の一端部に連設された接続部３２０ｂと、折り曲げ部３１０ｂの長さ方向の他端部に連設された傾斜部３３０ｂと、この傾斜部３３０ｂの長さ方向の他端部に連設された下向き略Ｕ字状の接触部３４０ｂとを有している。折り曲げ部３１０ｂ及び接続部３２０ｂが特許請求の範囲における第２のコンタクト３００ｂの長さ方向の第１の端部に相当する。本実施の形態では、上述したように折り曲げ部３１０ｂがボディ１００の嵌合ブロック１４０の嵌合部１４１の中央部及び保持部１４２に埋設され、固着されている。接続部３２０ｂは、図示しない基板の導電ラインに半田接続される部位である。接触部３４０ｂは特許請求の範囲における第２のコンタクト３００ｂの長さ方向の第２の端部に相当する。この接触部３４０ｂの頂部以外の部分がフローティング部材２００の本体部２１０に埋設され、固着されている。接触部３４０ｂの頂部が本体部２１０の上面から突出し、カードＣの第２の接点部Ｃ１２に接触可能になっている。傾斜部３３０ｂはカード挿入方向αの後方に向けて上り傾斜となるように折り曲げられている。この傾斜部３３０ｂは上下方向に弾性変形可能である。
【００２５】
フローティング部材２００は、図１、図３、図４及び図５に示すように、略直方体の本体部２１０と、本体部２１０の下面の幅方向の両端部に設けられた正面視略Ｌ字状の一対のフランジ２２０とを有している。本体部２１０のカード挿入方向αの前方の中央部には、該本体部２１０を上下方向に貫通する凹部２１２が設けられている。本体部２１０の前記中央部の両端部には、第１のコンタクト３００ａの接触部３４０ａの頂部以外の部分が各々埋設されている（すなわち、固着されている。）。本体部２１０の凹部２１２のカード挿入方向αの後方部分には、第２のコンタクト３００ｂの接触部３４０ｂの頂部以外の部分が埋設されている（すなわち、固着されている。）。凹部２１２には、第２のコンタクト３００ｂの傾斜部３３０ｂが挿入されている。
【００２６】
本体部２１０は、嵌合ブロック１４０が下方から嵌合孔１１３に嵌合する際に、ガイド孔１１１に下方から挿入され、第１、第２のコンタクト３００ａ、３００ｂの傾斜部３３０ａ、３３０ｂに上下動自在に支持される。この状態で、本体部２１０の上端部がカード挿入孔１０１内に配置される。フランジ２２０は、ガイド孔１１１の下側ガイド孔１１１１の両側部に挿入され、上側ガイド孔１１２の両縁部に当接する。本体部２１０が傾斜部３３０ａ、３３０ｂに支持され且つカバー４００の後述する弾性片４２０により上方に付勢される一方、フランジ２２０が上側ガイド孔１１２の両縁部に当接することにより、カード挿入孔１０１に挿入されたカードＣにより本体部２１０が押し下げられ得る所定の位置に配置される。また、本体部２１０の下端部及びフランジ２２０がガイド孔１１１に上下動自在にガイドされる。
【００２７】
また、本体部２１０の幅寸法はカードＣの凹部Ｃ１の幅寸法よりも若干小さくなっている。すなわち、カードＣがカード挿入孔１０１に挿入される際に、本体部２１０の上端部がカードＣの凹部Ｃ１に挿入され、カードＣをカード挿入孔１０１内に案内するガイド手段として機能する。本体部２１０の上端部のカード挿入方向αの後方部分には、カード挿入方向αの後方に向けて下り傾斜した傾斜面２１１が設けられている。この傾斜面２１１により本体部２１０がカードＣの凹部Ｃ１に挿入され易くなっている。
【００２８】
シールドカバー４００は金属板が角筒状のプレス成型されたものである。このシールドカバー４００はボディ１００の外周面（すなわち、ボディ１００のカード挿入方向αの前面及び後面を除く面）を覆う。シールドカバー４００の底板の幅方向のカード挿入方向αの後方部分の両端部には一対の接続片４１０が設けられている。接続片４１０は、前記両端部の一部がカットされ外側に向けて折り曲げられた片部材である。この接続片４１０は上記基板のグランドラインに接続される。また、シールドカバー４００の底板のカード挿入方向αの後方部分の中央部には弾性片４２０が設けられている。この弾性片４２０は、前記中央部の一部がカットされ、上方に向けて折り曲げられた片部材である。弾性片４２０の先端部は下向き略Ｖ字状に折り曲げられている。弾性片４２０がボディ１００の切欠き部１１２からガイド孔１１１内に挿入され、フローティング部材２００の下面を上方へ付勢するようになっている。
【００２９】
以下、上述した構成のカードコネクタの組み立て手順について説明する。まず、嵌合ブロック１４０に第１、第２のコンタクト３００ａ、３００ｂの折り曲げ部３１０ａ、３１０ｂをインサート成型する。これにより、折り曲げ部３１０ａ、３１０ｂが嵌合ブロック１４０内に固着される。その一方で、フローティング部材２００に第１、第２のコンタクト３００ａ、３００ｂの接触部３４０ａ、３４０ｂの頂部以外の部分をインサート成型する。これにより、接触部３４０ａ、３４０ｂがフローティング部材２００に固着される。このとき、接触部３４０ａ、３４０ｂの頂部をフローティング部材２００の上面から各々突出させる。
【００３０】
その後、嵌合ブロック１４０をボディ１００の嵌合孔１１３に下方から圧入し、嵌合ブロック１４０をボディ１００の嵌合孔１１３に嵌合させる。これに伴って、フローティング部材２００がボディ１００のガイド孔１１１に下方から挿入され、フローティング部材２００のフランジ２２０が上側ガイド孔１１１２の両縁部に各々当接する。これにより、フローティング部材２００が上記所定の位置に配置され、本体部２１０の上端部がカード挿入孔１０１内に配置される。
【００３１】
その後、ボディ１００にシールドカバー４００を被せる。これにより、ボディ１００の外周面がシールドカバー４００に覆われる。このとき、シールドカバー４００の弾性片４２０がボディ１００の切欠き部１１２からガイド孔１１１に挿入され、該弾性片４２０の先端部フローティング部材２００の本体部２１０の下面に弾性的に接触する。これにより、弾性片４２０がフローティング部材２００の本体部２１０の下面を上方に付勢する。
【００３２】
以下、このように組み立てられたカードコネクタにカードＣを接続する手順について図４及び図５を参照しつつ説明する。カードＣをカード挿入孔１０１に挿入すると、本体部２１０の上端部がカードＣの凹部Ｃ１に挿入される。これにより本体部２１０の上端部がカードＣをカード挿入孔１０１内部に案内する。
【００３３】
このとき、カードＣの凹部Ｃ１の底板部がフローティング部材２００の本体部２１０の傾斜面２１１を押圧しつつカード挿入方向αに前進し、該本体部２１０を下方に押し下げる。これにより、弾性片４２０及び第１、第２のコンタクト３００ａ、３００ｂの傾斜部３３０ａ、３３０ｂが下方に弾性変形し、その付勢力が増大する。このため、第１、第２のコンタクト３００ａ、３００ｂのフローティング部材２００の上面から露出した接触部３４０ａ、３４０ｂの頂部がカードＣの第１、第２の接点部Ｃ１１、Ｃ１２に所定の接触圧で各々接触する。
【００３４】
このようなカードコネクタによる場合、第１、第２のコンタクト３００ａ、３００ｂの接触部３４０ａ、３４０ｂの頂部以外の部分がフローティング部材２００の本体部２１０に固着され、該本体部２１０が弾性片４２０により付勢されているので、該弾性片４２０の付勢力により第１、第２のコンタクト３００ａ、３００ｂの弾性力を補強することができる。よって、第１、第２のコンタクト３００ａ、３００ｂのカードＣの第１、第２の接点部Ｃ１１、Ｃ１２に対する所定の接触圧を確保しつつ、第１、第２のコンタクト３００ａ、３００ｂの幅寸法を小さくすることができる。また、カードＣがボディ１００のカード挿入孔１０１０に挿脱される際に、第１、第２のコンタクト３００ａ、３００ｂに掛かる負荷が、フローティング部材２００及び弾性片４２０により分散されるので、第１、第２のコンタクト３００ａ、３００ｂの幅寸法を小さくしても、前記負荷により第１、第２のコンタクト３００ａ、３００ｂが塑性変形してしまうのを抑止することができる。
【００３５】
しかも、嵌合ブロック１４０、第１、第２のコンタクト３００ａ、３００ｂ及びフローティング部材２００をボディ１００の嵌合孔１１３及びガイド孔１１１に下方から挿入し、嵌合ブロック１４０を嵌合孔１１３に圧入させるだけで、嵌合ブロック１４０、第１、第２のコンタクト３００ａ、３００ｂ及びフローティング部材２００をボディ１００に簡単に取り付けることができる。また、シールドカバー４００をボディ１００に被せる際に、弾性片４２０が切欠き部１１２を通じてガイド孔１１１に挿入され、フローティング部材２００の下面に弾性的に接触するようになっている。よって、弾性片４２０の取り付けを簡単に行うことができる。よって、本コネクタは組み立てが簡単である。
【００３６】
更に、フローティング部材２００がカードＣの凹部Ｃ１に挿入され、該カードＣをカード挿入孔１０１内に案内するようになっているので、カードＣの挿脱を容易に行うことができる。
【００３７】
上述したカードコネクタは本実施の形態に限定されるものではなく、特許請求の範囲における記載の範囲において任意に設計変更することが可能である。以下、詳しく説明する。
【００３８】
上記実施の形態では、ボディ１００の切欠き部１１２及びガイド孔１１１は、底板部１１０を厚み方向に貫通するとしたが、有底の孔であっても良い。嵌合孔１１３についても下方に開放されている必要はなく、有底の孔であっても良い。この場合、嵌合ブロック１４０及びフローティング部材２００を切欠き部１１２を通じて又は上方から嵌合孔１１３、ガイド孔１１１に挿入するように設計変更することが可能である。また、上記実施の形態では、嵌合孔１１３はボディ１００の底板部１１０及び後壁部１３０に設けられているとしたが、少なくとも底板部１１０に設けられていれば良い。
【００３９】
また、上記実施の形態では、フローティング部材２００を上方に付勢する付勢手段として、シールドカバー４００の弾性片４２０を用いるとしたが、これに限定されるものではない。例えば、有底のガイド孔１１１の底面上にコイルスプリングや弾性樹脂等の付勢手段を配設するようにしても良いし、ボディ１００の底板部１１０上にコイルスプリングや弾性樹脂等の付勢手段を配設するようにしても良い。このように設計変形した場合であっても、フローティング部材２００の底面を上方に付勢し得る。なお、後者の場合には、切欠き部１１２及びガイド孔１１１を省略することができる。
【００４０】
上記実施の形態では、第１、第２のコンタクト３００ａ、３００ｂの折り曲げ部３１０ａ、３１０ｂが嵌合ブロック１４０にインサート成型により埋設されているとしたが、第１、第２のコンタクト３００ａ、３００ｂの長さ方向の第１の端部が嵌合ブロック１４０又はボディ１００に固着されていれば良い。例えば、超音波溶着により前記第１の端部を嵌合ブロック１４０又はボディ１００に各々埋設して固着させるようにしても良いし、前記第１の端部を嵌合ブロック１４０又はボディ１００に設けられた圧入孔に各々圧入することにより固着させるようにしても良い。同様に、接触部３４０ａ、３４０ｂについてもインサート成型によりフローティング部材２００に埋設されるものに限定されることはなく、第１、第２のコンタクト３００ａ、３００ｂの長さ方向の第２の端部が嵌合ブロック１４０に固着されていれば良い。例えば、超音波溶着により前記第２の端部を嵌合ブロック１４０に各々埋設して固着させるようにしても良いし、前記第２の端部を嵌合ブロック１４０に設けられた圧入孔に各々圧入することにより固着させるようにしても良い。
【００４１】
また、上記実施の形態では、カードコネクタは、第１、第２のコンタクト３００ａ、３００ｂの双方を備えるとしたが、少なくとも一種類のコンタクトを備えていれば良い。コンタクトの形状については任意に設計変更することが可能である。勿論、カードコネクタは３種類以上のコンタクトを備えた構成とすることも可能である。また、第２のコンタクト３００ｂを複数とすることも可能である。
【００４２】
上記実施の形態では、フローティング部材２００は、直方体の本体部２１０及びフランジ２２０を有するとしたが、ボディのカード挿入孔内に上下動自在に配置され且つカード挿入孔に挿入されたカードにより押し下げられる部材であればどのように設計変更しても良い。すなわち、フランジ２２０は省略可能である。また、本体部２１０の形状は任意に変更可能である。また、フローティング部材全体をカード挿入孔内に配置するようにしても構わない。
【００４３】
上記実施の形態では、シールドカバー４００は金属板が角筒状のプレス成型されたものであるとしたが、樹脂等の非導電材に蒸着等により金属体で被覆したものであっても良い。この場合、樹脂等の非導電材の弾性片によりフローティング部材２００を上方に付勢しても良い。また、シールドカバー４００は不要な場合には省略することも可能である。また、前記カバーとしてはシールドカバー以外のものを用いることが可能である。
【００４４】
なお、本発明に係るカードコネクタは、各構成部品の種類、形状、材質及びコンタクト数等については上記実施形態に限定されない。同様に、カードＣについても、上記実施の形態において一例を示したものに過ぎず、凹部や接点部等の位置は任意に設計変更することが可能である。なお、前記カードは凹部を省略することが可能である。
【符号の説明】
【００４５】
Ｃ・・・・・カード
Ｃ１・・・・凹部
Ｃ１１・・・第１の接点部
Ｃ１２・・・第２の接点部
１００・・・ボディ
１１０・・底板部
１１１・ガイド孔
１１２・切欠き部
１１３・嵌合孔
１４０・・嵌合ブロック
２００・・・フローティング部材
３００ａ・・第１のコンタクト
３１０ａ・折り曲げ部（第１の端部）
３２０ａ・接続部（第１の端部）
３３０ａ・傾斜部
３４０ａ・接触部（第２の端部）
３００ｂ・・第２のコンタクト
３１０ｂ・折り曲げ部（第１の端部）
３２０ｂ・接続部（第１の端部）
３３０ｂ・傾斜部
３４０ｂ・接触部（第２の端部）
４００・・・シールドカバー
４２０・・弾性片（付勢手段）
【図１】
2010287506.tif 000003
【図２】
2010287506.tif 000004
【図３】
2010287506.tif 000005
【図４】
2010287506.tif 000006
【図５】
2010287506.tif 000007